(57)【要約】本発明は医療用キャスト及び皮膚保護帯に関し、本発明の一実施形態によれば、全体的に網状の織造方法によって織造され、体の関節部位に対応される部分と両端部には肌とキャストとの間に空間が発生されることを防止するために、カフスが形成され、一側には薄厚の切り目が長手方向に稠密に織造され、切り目の両側にはそれぞれ厚い強度補強用帯が長手方向に稠密に織造されたキャスト綿糸に水硬性硬化液を含浸させて硬化させることを特徴とする医療用キャストと、キャストを切断する時、ブレードから肌を保護するため、軟性材質の皮膚保護用帯が付着されることを特徴とする医療用皮膚保護帯が提供される。
2012506755.tif 000002
【特許請求の範囲】
【請求項１】
全体的に網状の織造方法によって織造され、体の関節部位に対応される部分と両端部には肌とキャストとの間に空間が発生されることを防止するために、カフスが形成され、一側には薄厚の切り目が長手方向に稠密に織造され、前記切り目の両側にはそれぞれ厚い強度補強用帯が長手方向に稠密に織造されたキャスト綿糸に水硬性硬化液を含浸させて硬化させることを特徴とする医療用キャスト。
【請求項２】
前記切り目は１〜３０ｍｍの幅に織造されることを特徴とする請求項１に記載の医療用キャスト。
【請求項３】
前記強度補強用帯は０．５〜２ｃｍの幅に織造されることを特徴とする請求項１または２に記載の医療用キャスト。
【請求項４】
整形外科用キャストを施術する前に施術される皮膚保護帯において、全体的に網状の織造方法によって織造され、体の関節部位に対応される部分と両端部には肌とキャストとの間の空間が発生されることを防止するためにカフスが形成され、一側にはキャストを切断する時、ブレードから肌を保護するため、軟性材質の皮膚保護用帯が付着されることを特徴とする医療用皮膚保護帯。
【請求項５】
前記皮膚保護用帯は、発泡（ｆｏａｍ）材質からなることを特徴とする請求項４に記載の医療用皮膚保護帯。
【請求項６】
前記発泡（ｆｏａｍ）はクローズドセル（ｃｌｏｓｅｄ  ｃｅｌｌ）構造であることを特徴とする請求項５に記載の医療用皮膚保護帯。
【請求項７】
前記皮膚保護用帯は、ゲル（ｇｅｌ）材質からなることを特徴とする請求項４に記載の医療用皮膚保護帯。
【請求項８】
前記皮膚保護用帯は、厚さ１〜３０ｍｍ、幅１〜８ｃｍに形成されることを特徴とする請求項４に記載の医療用皮膚保護帯。
【発明の詳細な説明】
【技術分野】
【０００１】
本発明は整形外科骨折患者の治療に主に使われる医療用キャスト（ｃａｓｔ）と皮膚保護帯に関し、特にキャストを除去するために切断する時、外側のキャストは容易に切断できるが、キャスト内側の皮膚保護帯はブレードと肌の接触を防止するように形成して、火傷など肌の損傷を防止できることを特徴とする医療用キャストと皮膚保護帯に関する。
【背景技術】
【０００２】
従来にはキャストの綿糸で大部分薄いテープ型ガラス繊維やポリエステル糸に硬化液を含浸させて患部に複重巻き、施術者の施術方法によって巻かれる圧力や厚さが不規則で、患者に加えられる圧迫が均等でなく、部分的に他の圧迫を受けて血液循環の障害をもたらす虞があり、施術が複雑である。皮膚保護帯としては、ストッキネット（ｓｔｏｃｋｉｎｅｔｔ；弾力包帯）と綿包帯を使用するため、肌との通風性がほとんどなく、それによって痒み症と窮屈、不清潔、悪臭などの問題点があった。
【０００３】
前記のような問題点を解決するため、本発明者の先出願登録特許である「医療用キャスト及び皮膚保護帯（韓国登録特許第１０−０７９２２５２号）」で、支持体としてポリエステル糸にスパン（ｓｐａｎ）カバードヤーンを利用し、台形及び壺型構造の環片織造方法と網状の組職を有するように織造した後、水硬性硬化液を含浸させて患部に施術するようにすることによって、不規則な体部位に容易に適用可能であり、伸縮性、通風性及び着用感の良い医療用キャスト及び皮膚保護帯を提示した。
【０００４】
しかし、前記登録特許で提示された医療用キャスト及び皮膚保護帯の場合、キャストを除去するためにカッター（ｃｕｔｔｅｒ）を使用する時、カッターに負荷がたくさん掛かってブレードに熱がたくさん発生され、これにより肌に火傷する虞があり、特に強度の高い医療用キャストの強度補強帯の部分を切断する時には火傷の虞がさらに高い。
【先行技術文献】
【特許文献】
【０００５】
【特許文献１】韓国登録特許第１０−０７９２２５２号
【発明の概要】
【発明が解決しようとする課題】
【０００６】
本発明は上述したような問題点を解決するために案出されたもので、本発明の一実施形態は全体的に網状の織造方法によって織造され、体の関節部位に対応される部分と両端部には肌とキャストとの間に空間が発生することを防止するためにカフス（Ｃｕｆｆｓ）が形成され、一側には薄厚の切り目が長手方向に稠密に織造され、切り目の両側にはそれぞれ厚い強度補強用帯が長手方向に稠密に織造されたキャストの綿糸に水硬性硬化液を含浸させて硬化させることを特徴とする医療用キャストと、キャストの切断の時、ブレードから肌を保護するために、軟性材質の皮膚保護用帯が付着されることを特徴とする医療用皮膚保護帯に関する。
【課題を解決するための手段】
【０００７】
本発明の一実施形態によれば、整形外科用キャストにおいて、全体的に網状の織造方法によって織造され、体の関節部位に対応される部分と両端部には肌とキャストとの間に空間が発生されることを防止するためにカフスが形成され、一側には薄厚の切り目が長手方向に稠密に織造されて、切り目の両側にはそれぞれ厚さが厚い強度補強用帯が長手方向に稠密に織造されたキャスト綿糸に水硬性硬化液を含浸させて硬化させることを特徴とする医療用キャストが提供される。
【０００８】
ここで、切り目は１〜３０ｍｍの幅に織造されることが好ましく、強度補強用帯はそれぞれ０．５〜２ｃｍの幅に織造されることが好ましい。
【０００９】
また、整形外科用キャストの施術の前に施術される皮膚保護帯において、全体的に網状の織造方法によって織造され、体の関節部位に対応される部分と両端部には肌とキャストとの間に空間が発生されることを防止するためにカフスが形成され、一側にはキャストの切断の時、ブレードから肌を保護するため、軟性材質の皮膚保護用帯が付着されることを特徴とする医療用皮膚保護帯が提供される。
【００１０】
ここで、皮膚保護用帯は、クローズドセル（ｃｌｏｓｅｄ  ｃｅｌｌ）構造の発泡（ｆｏａｍ）材質からなることが好ましく、ゲル（ｇｅｌ）材質からなってもよい。
【００１１】
この時、皮膚保護用帯は、厚さ１〜３０ｍｍ、幅１〜８ｃｍに形成されることが好ましい。
【発明の効果】
【００１２】
本発明の一実施形態による医療用キャストによれば、長手方向に薄厚の切り目が厚い強度補強用帯の間に織造されることによって、キャストを除去する時、切断器によって容易にキャストを切断することができる。
【００１３】
また、本発明の一実施形態による医療用皮膚保護帯によれば、発泡またはゲル材質の皮膚保護用帯が付着されることによって、切断器のブレードが肌に直接接触することを防止するとともに、切断器で発生される熱が肌に伝達されることを防止して、火傷など肌の損傷を防止することができる效果を奏する。
【図面の簡単な説明】
【００１４】
【図１】本発明の一実施形態による医療用キャストと皮膚保護帯の施術前の様子を示す状態図。
【図２】本発明の一実施形態によって施術された医療用キャストををカッターで切断する様子を示す使用状態図。
【発明を実施するための形態】
【００１５】
以下、本発明の一実施形態による医療用キャスト及び皮膚保護帯の好ましい実施形態を添付された図面を参照して説明する。この過程で図面に示された線の厚さや構成要素の大きさなどは説明の明瞭性と便宜のために誇張して示されることもある。
【００１６】
また、後述される用語は本発明での機能を考慮して定義された用語で、これは使用者、運用者の意図または慣例によって異なることがある。そこで、このような用語に対する定義は本明細書の全般における内容を土台に決めるべきである。
【００１７】
同時に、以下の実施形態は本発明の権利範囲を限定するのではなく、本発明の請求範囲に提示された構成要素の例示的な事項に過ぎず、本発明の明細書全般における技術思想に含まれて請求範囲の構成要素で均等物として置き換え可能な構成要素を含む実施形態は本発明の権利範囲に含まれることができる。
【００１８】
（実施形態）
図１は本発明の一実施形態による医療用キャストと皮膚保護帯の施術前の様子を示す状態図であり、図２は本発明の一実施形態によって施術された医療用キャストをカッターで切断する様子を示す使用状態図である。
【００１９】
本発明の好ましい一実施形態によれば、図１に示すように、台形環片に織造された網状のキャスト綿糸１が提供され、施術の時、手首（足首）のような関節部位で伸縮性を向上させてキャスト綿糸１が肌の側によく密着されるようにするために、キャスト綿糸１の両端部には幅が稠密に織造された端部カフス６が形成され、キャスト綿糸１が患部に着せられた時、患者の手首（足首）の関節に対応される部位には、幅が稠密に織造された手首（足首）カフス７が形成される。
【００２０】
（発明の実施のための形態）
また、本発明の好ましい他の実施形態によれば、図１に示すように、台形環片に織造された網状の皮膚保護帯２が提供され、皮膚保護帯２の両端部には端部カフス６が形成され、施術の時、手首（足首）のような関節部位で伸縮性を向上させて皮膚保護帯２が肌によく密着されるようにするために、皮膚保護帯２が患部に着せられた時、患者の手首（足首）の関節に対応される部位には、幅が稠密に織造された手首（足首）カフス７が形成される。
【００２１】
この時、キャスト綿糸１と皮膚保護帯２は伸縮性の優れたポリエステル糸とスパンカバードヤーンを混用して織造することが好ましく、台形環片に織造され、全体的には網状の織造方法によって均一な通風性及び強度を保持することができる。
【００２２】
同時に、皮膚保護帯２は水気の吸収及び排出が容易になるように表面に撥水処理をしたり、高撥水性糸を使って織造することが好ましい。
【００２３】
一方、本発明の一実施形態によれば、キャスト綿糸１に水硬性硬化液を含浸させ、キャスト綿糸１と皮膚保護帯２をそれぞれドーナツ形に巻いて包装した後流通させ、使用の時には、ドーナツ形に巻かれた皮膚保護帯２を患部に挟んで取り巻いた後、その上にドーナツ形のキャスト綿糸１を水に濡らして患部に挟んで取り巻くことによって、キャスト綿糸１の硬化とともに施術が完了される。
【００２４】
図１ではキャスト綿糸１の組職を構成するための網状の織造方法を示しており、水硬性硬化液の含浸率を高め伸縮性を強化するために、かさ高性（ｂｕｌｋｉｎｅｓｓ）を有するポリエステル糸及びゴム糸にスパン糸をカバードしたスパンカバードヤーンを混用して織造し、また、左右均一な数で強度のバランスを保持するようにすることが好ましい。
【００２５】
この時、かさ高性（ｂｕｌｋｉｎｅｓｓ）とは、毛糸のように綿毛があって、見掛け上厚くて且つ柔らかくに見える性質を言う。
【００２６】
また、強度の要求程度によって糸数を調整することもでき、網状の構造とスパンカバードヤーンの組職によって伸縮性が優れ、復元力も優れるという長所がある。
【００２７】
ここで、施術が完了されたキャストを除去する場合、円形鋸歯を有するカッター８を使って硬化されたキャストを切断し、このカッター８の移動方向を案内するためにキャスト綿糸１の長手方向に１〜３０ｍｍの幅を有する切り目３が薄厚で稠密に織造され、目立ちやすいようにキャスト綿糸１と異なる色に織造されることが好ましい。
【００２８】
この時、切り目３の幅が１ｍｍより狭いと、切断作業が困難であり、切り目３の幅が３０ｍｍより広いと、キャスト綿糸１の強度及び耐久性が低下される。
【００２９】
一方、キャスト綿糸１の強度を補強するために、切り目３を基準に互いに対称されるようにそれぞれ約０．５〜２ｃｍの幅で、稠密な構造を有する一対の強度補強用帯４がキャスト綿糸１の長手方向に織造され、これによってキャスト綿糸１がより安定的な強度を保持することができる。言い換えれば、キャスト綿糸１の厚さより薄く切り目３が織造され、切り目３の両側にキャスト綿糸１の厚さより厚く強度補強用帯４が織造される。
【００３０】
従って、強度補強用帯４は厚さが厚く織造されて、薄厚の切り目３両側に形成されるので、切断の時、ブレード９が切り目３を離れる場合、強度補強用帯４に掛けられるようにすることによって、カッター８の移動方向をガイドする役割を果たし、これによってキャストに対する切断作業が容易に行う。
【００３１】
一方、図１に示すように、手首（足首）カフス７のみを形成させることもでき、図示しないが、ヒジ（膝）カフスを手首（足首）カフス７の上部にさらに形成させることも可能である。
【００３２】
また、矩形に織造することもでき、体部位に容易に着せるように、図１に示すように、台形や壺形態に織造することもできる。
【００３３】
この時、長手方向に幅が上、中、下それぞれ異なるように織造される壺形キャスト綿糸１は多様な体の規格に容易に対応して施術することができる。
【００３４】
一方、本発明の一実施形態による皮膚保護帯２は、ゴアテックス糸やポリオレフィンのように高撥水性の糸をスパンカバードヤーンと混用して織造して使うことによって、通風性が優れるとともに、伸縮性が優れて、復元力も優秀な長所がある。
【００３５】
また、抗菌処理によって細菌の繁殖を防止して痒み症を解消し、施術が簡便で着心地も優れて、水分からよりさわやかで清潔な状態を保持することができて、より早い治癒效果がある。
【００３６】
また、硬いキャストから肌を保護できるように、２重の構造を有するように織造して柔らかい材質の内側は肌の方に、他の材質の外側はキャスト綿糸１の方に接するようにして、より快適な感じを与えるようにすることが好ましく、伸縮性が要求される程度によって糸数を調整して織造することもできる。
【００３７】
ここで、キャストを除去する時に使われるカッター８のブレード９が直接肌に接触され、ブレード９で摩擦によって発生された熱が肌に伝達されることを防止できるように、皮膚保護帯２の切断される部位に軟性材質である幅１〜８ｃｍ、厚さ１〜３０ｍｍの皮膚保護用帯５を長手方向に融着または接着などの方法で付着することによって、より安定性が期待でき、施術の時には皮膚保護帯２の皮膚保護用帯５とキャスト綿糸１の切り目３が互いに対応するように施術することが好ましい。
【００３８】
この時、皮膚保護用帯５の幅が１ｃｍ未満である場合、切断の時、確かに肌を保護することができなくなり、幅が８ｃｍより広いと、窮屈になる原因となる。
【００３９】
同時に、皮膚保護用帯５の厚さが１ｍｍ未満であると、ブレード９から肌を安全に保護することが困難であり、３０ｍｍ以上に厚いとキャストが患部に密着されるように施術することが困難である。
【００４０】
また、皮膚保護用帯５は発泡状とゲル状に形成されることができ、発泡の場合、ポリウレタン、ポリオレフィンなどの高分子物質で作られた多孔性発泡の構造を有し、この多孔性発泡内部のセル（ｃｅｌｌ）はオープンセル（ｏｐｅｎ  ｃｅｌｌ）ではないクローズドセル（ｃｌｏｓｅｄ  ｃｅｌｌ）で、水気やその他汚染物の吸着を阻む高分子発泡の形態であることが好ましい。オープンセル（ｏｐｅｎ  ｃｅｌｌ）の発泡を使用すると、間違ってキャストが水に濡らされる場合、水が発泡の中に侵透して抜け出ることができなくなって、痒み症の原因及び汚染の原因になる。
【００４１】
ここで、オープンセル（ｏｐｅｎ  ｃｅｌｌ）とは、発砲の時発生する二酸化炭素によって発泡の内部に形成されるセルが互いに連結されている言い、クローズドセル（ｃｌｏｓｅｄ  ｃｅｌｌ）は発泡の内部のセルが互いに独立的に形成されたことを言う。
【００４２】
一方、皮膚保護用帯５がゲル状に形成される場合、人体の肌に類似する弾性を有するようにポリウレタンまたはポリオレフィンなどの高分子物質で形成されるので、ブレード９から肌を安全に保護することができる。
【００４３】
即ち、通常、キャストを除去する時に使われるカッター８はブレード９として円形鋸歯を有しており、硬い物質は容易に切断できるが、柔らかくて丈夫な物質は抵抗弾性が強くて切断できない特性を有しており、発泡とゲル状の皮膚保護用帯５はカッター８によって切断できないので、ブレード９と肌が直接接触されることを防止する一方、ブレード９の熱が肌に伝達されることを防止する。
【００４４】
この時、皮膚保護帯２にも前述したキャスト綿糸１の例のように、手首（足首）カフス７の上部にヒジ（膝）カフス（図示しない）を形成してもよい。
【００４５】
また、矩形に織造してもよく、体部位に容易に着せるように台形や壺形に織造することが好ましい。
【００４６】
この時、長手方向に幅が上、中、下それぞれ異なるように織造される壺形の皮膚保護帯は多様な体の規格に容易に対応して施術できる。
【００４７】
図２はキャストと皮膚保護帯の施術の後、キャストを除去する状態を示し、患部が足首部位である時の実施形態である。
【００４８】
皮膚保護帯２と、水硬性硬化液が含浸されたキャスト綿糸１はそれぞれドーナツ形に巻かれて包装された後流通されることが好ましく、施術の時にはドーナツ形に巻かれた皮膚保護帯２を患部に挟んで取り巻いて施術し、その上にドーナツ形に巻かれた水硬性硬化液が含有されたキャスト綿糸１を水に濡らした後皮膚保護帯２の上に挟んで上方へ広げながら巻く。
【００４９】
キャストを除去する時には、カッター８を使って切り目３に沿って硬化されたキャスト綿糸１を切断し、キャスト綿糸１の切り目３は水硬性硬化液によって硬化された状態で、切り目３の両方の強度補強用帯４より厚さが薄いので、ブレード９が切り目３を離れないようにしながら容易に切断作業が行われる。
【００５０】
また、キャスト綿糸１の切り目３に対応される皮膚保護帯２の外側には皮膚保護用帯５が形成されているので、医者は気軽に切断作業をしてキャストを除去することができ、患者は切断する時、高速回転するブレード９による恐怖心を無くして施術中に心理的に安定した状態を保持することができる。
（産業上の利用の可能性）
【００５１】
本発明の一実施形態による医療用キャストによれば、長手方向に薄厚の切り目が厚い強度補強用帯の間に織造されることで、キャストを除去する時切断器によって容易にキャストを切断することができる。
【００５２】
また、本発明の一実施形態による医療用皮膚保護帯によれば、発泡（ｆｏａｍ）またはゲル（ｇｅｌ）材質の皮膚保護用帯が付着されることによって、切断器のブレードが肌に直接接触することを防止するとともに、切断器で発生される熱が肌に伝達されることを防止して、火傷など肌の損傷を防止することができる。
【符号の説明】
【００５３】
１：キャスト綿糸
２：皮膚保護帯
３：切り目
４：強度補強用帯
５：皮膚保護用帯
６：端部カフス
７：手首（足首）カフス
８：カッター
９：ブレード
【図１】
2012506755.tif 000003
【図２】
2012506755.tif 000004
【国際調査報告】
2012506755.tif 000005
2012506755.tif 000006
2012506755.tif 000007
2012506755.tif 000008